(57)【要約】【課題】映画作品という商品の特殊性に起因する、きめ細かい処理を反映させることが可能な宣伝素材提供システムを提供すること。【解決手段】宣伝素材提供システムは、インターネット２を介して提供された商品の宣伝素材を登録するサーバ装置１と、前記登録された宣伝素材を利用するクライアント装置３とから構成される。そして、前記サーバ装置１から入力された、前記宣伝素材を前記クライアント装置３から利用可とするか否かを定める利用可能情報に基づいて、前記サーバ装置１は前記クライアント装置３からの前記宣伝素材の利用可否を決める。【選択図】　図１
2004078534.tif 000002
【特許請求の範囲】
【請求項１】
提供された映画作品に対する宣伝素材を登録するサーバ装置と、前記登録された宣伝素材を利用するクライアント装置とを備え、
前記サーバ装置が、前記宣伝素材を前記クライアント装置から利用可とするか否かを定める利用可能情報に基づいて、前記クライアント装置から前記宣伝素材が利用できるか否かを決めることを特徴とする宣伝素材提供システム。
【請求項２】
提供された映画作品に対する宣伝素材を登録するサーバ装置と、前記登録された宣伝素材を利用するクライアント装置と、前記映画作品の宣伝素材を提供する第２のクライアント装置とを備え、
前記サーバ装置が、前記宣伝素材を前記クライアント装置から利用可とするか否かを定める利用可能情報に基づいて、前記クライアント装置から前記宣伝素材が利用できるか否かを決めることを特徴とする宣伝素材提供システム。
【請求項３】
前記利用可能情報は、前記映画作品の公開／非公開を示す情報を含むことを特徴とする請求項１、または２記載の宣伝素材提供システム。
【請求項４】
前記利用可能情報は、前記映画作品の提供側、または前記映画作品の宣伝素材の提供側から見た前記映画作品の宣伝素材の利用側の重要度の範囲における利用可能範囲を示す情報を含むことを特徴とする請求項３記載の宣伝素材提供システム。
【請求項５】
前記映画作品の公開／非公開を示す情報が非公開に更新された場合に、前記クライアント装置から前記映画作品に対する宣伝素材への利用が不可になることを特徴とする請求項３記載の宣伝素材提供システム。
【請求項６】
提供された映画作品に対する宣伝素材を登録し、該登録された宣伝素材を宣伝素材利用装置に利用させる宣伝素材管理装置において、
前記宣伝素材を前記宣伝素材利用装置から利用可とするか否かを定める利用可能情報に基づいて前記宣伝素材利用装置から前記宣伝素材が利用できるか否かを決めることを特徴とする宣伝素材管理装置。
【請求項７】
提供された映画作品に対する宣伝素材を登録し、該登録された宣伝素材を宣伝素材利用装置に利用させる宣伝素材管理装置が行う宣伝素材の管理方法において、
前記宣伝素材を前記宣伝素材利用装置から利用可とするか否かを定める利用可能情報に基づいて前記宣伝素材利用装置から前記宣伝素材が利用できるか否かを決めることを特徴とする宣伝素材管理方法。
【発明の詳細な説明】
【０００１】
【発明の属する技術分野】
本発明は、宣伝素材を提供する宣伝素材提供システムに関し、特に映画作品用の宣伝素材提供システムに関する。
【０００２】
【従来の技術】
従来、各種の宣伝システムがあり、その対象とする商品等に応じて適切な宣伝方法が取られている。そのような商品の中にあって映画作品は、製作からロードショウでの上映、一般公開、または、ビデオで販売する際の各段階において、その映画作品の権利関係が変動する（著作権の権利者などが変動する）という意味において、極めて特殊な他に類を見ない形態の商品となっている。
【０００３】
そして、そのような特殊な形態のため、宣伝素材の提供方法を含めた宣伝方法にも特殊性が生じる。例えば、ある映画を例にとると、その映画作品を構成する複数枚のフィルムの内から何枚かのフィルムを選択し、その選択されたフィルムから宣伝素材を製作する。そして、その宣伝素材に基づいて、広告媒体などに宣伝を行う。宣伝期間は、その映画の製作が完了した段階から一般公開の前日までである。その宣伝期間が終了した場合、その映画作品の権利関係に変動が生じるため、同様の宣伝を続けることはできない。尚、上記宣伝期間は、個々の映画ごとに異なるものであり、極端な場合は、映画の製作開始から宣伝を始める場合もある。そして、宣伝を始めた場合であっても宣伝を続けることができなくなるような事情が生じた場合には、その宣伝期間の途中で宣伝打ち切りという場合もある。上記事情としては、例えばある事故をテーマにした映画を宣伝している際に、同様の事故が現実に起こってしまったような場合が相当する。また、以下の説明において、宣伝素材を場合によってはコンテンツと呼ぶ。例えば宣伝素材に割り当てられるＩＤを「コンテンツＮｏ」と呼んだりするが、宣伝素材とコンテンツとは同じものである。そして、宣伝素材としては、ポジフィルムや、上記したフィルムなどを画像データ化したものの他、文章データ、映像（動画）データ、サウンド（音楽）データ等を用いることができる。
【０００４】
【発明が解決しようとする課題】
上記したように、映画作品という商品の特殊性のため、その宣伝方法は、様々な要因に左右され、その都度きめ細かい処理が必要となるが、そのようなニーズを満たすシステムがないという問題がある。
【０００５】
特にそのようなシステムにおいて、映画作品の宣伝素材の提供側から見た該宣伝素材の利用側の重要度を反映させることはできなかった。
本発明の課題は、映画作品という商品の特殊性に起因する、きめ細かい処理を反映させることが可能な宣伝素材提供システムを提供することである。
【０００６】
本発明の他の課題は、映画作品の宣伝素材の提供側から見た該宣伝素材の利用側の重要度を反映させることが可能な宣伝素材提供システムを提供することである。
【０００７】
【課題を解決するための手段】
本発明は、上記課題を解決するため、下記のような構成を採用した。
すなわち、本発明の一態様によれば、本発明の宣伝素材提供システムは、提供された映画作品に対する宣伝素材を登録するサーバ装置と、前記登録された宣伝素材を利用するクライアント装置とを備え、前記サーバ装置が、前記宣伝素材を前記クライアント装置から利用可とするか否かを定める利用可能情報に基づいて、前記クライアント装置から前記宣伝素材が利用できるか否かを決める構成である。
【０００８】
上記利用可能情報に基づいて上記宣伝素材の利用可否を決めることにより、映画作品という商品の特殊性に起因する、きめ細かい処理を反映させることが可能となる。
また、本発明の他の態様によれば、本発明の宣伝素材提供システムは、提供された映画作品に対する宣伝素材を登録するサーバ装置と、前記登録された宣伝素材を利用するクライアント装置と、前記映画作品の宣伝素材を提供する第２のクライアント装置とを備え、前記サーバ装置が、前記宣伝素材を前記クライアント装置から利用可とするか否かを定める利用可能情報に基づいて、前記クライアント装置から前記宣伝素材が利用できるか否かを決める構成であり、同様にして上記利用可能情報に基づいて上記宣伝素材の利用可否を決めることにより、映画作品という商品の特殊性に起因する、きめ細かい処理を反映させることが可能となる。
【０００９】
尚、上記利用可能情報は、前記映画作品の公開／非公開を示す情報を含むことができる。
また上記利用可能情報は、前記映画作品の提供側、または前記映画作品の宣伝素材の提供側から見た前記映画作品の宣伝素材の利用側の重要度の範囲における利用可能範囲を示す情報を含むことができる。
【００１０】
この場合、上記重要度の範囲における利用可能範囲を示す情報に基づいて、映画作品の提供側、または前記映画作品の宣伝素材の提供側から見た該映画作品の宣伝素材の利用側の重要度を反映させることが可能となる。
またこのような宣伝素材提供システムのサーバ装置は、提供された映画作品に対する宣伝素材を登録し、該登録された宣伝素材を宣伝素材利用装置に利用させる宣伝素材管理装置として機能している。そして、その宣伝素材管理装置において、前記宣伝素材を前記宣伝素材利用装置から利用可とするか否かを定める利用可能情報に基づいて前記宣伝素材利用装置から前記宣伝素材が利用できるか否かを決める構成とすることで、上記利用可能情報に基づいて上記宣伝素材の利用可否を決めて、映画作品という商品の特殊性に起因する、きめ細かい処理を反映させることが可能となる。
【００１１】
【発明の実施の形態】
以下、本発明の実施の形態を、図面を参照しながら詳細に説明する。
本発明は、映画作品の宣伝素材をプレス等のメディアに提供するための宣伝素材提供システムに関するものであり、特に、その宣伝素材に付随する著作権などの権利が、期間ごとに変動し、その期間が経過したか否かに応じ、上記プレス等が宣伝素材を利用できるか否かを決めることにより、映画作品という商品の特殊性に起因した、きめ細かい処理を行うことを可能にするものである。
【００１２】
図１に、本発明の一実施形態の宣伝素材提供システムの概略構成図を示す。
図１において、宣伝素材提供システムは、インターネット２を介して提供された商品の宣伝素材を登録するサーバ装置１と、サーバ装置１に登録された宣伝素材を利用するクライアント装置３とから構成される。
【００１３】
サーバ装置１は、宣伝素材を登録すると共にクライアント装置３に宣伝素材を利用させるか否かを後述の「利用可能情報」に基づいて決める宣伝素材管理装置として機能している。
クライアント装置３は、プレス等のメディアのユーザによって使用され、上記宣伝素材を利用する宣伝素材利用装置として機能している。ここでメディアは、映画などのエンターテイメント作品の広告・宣伝を各広告・宣伝媒体を通じて行う。そして、クライアント装置３が、映画の宣伝のために、その映画の宣伝素材を利用した頻度に応じて、サーバ装置１を運営するエンターテイメントコンテンツセンターは、その宣伝素材の提供元である映画製作・配給会社から所定の料金を徴収する。
【００１４】
また、宣伝素材は、映画のフィルムの一部（例えば１つの映画につき１０枚程度）を画像データ化したものの他に、その映画内容につきコメントした記事や映画のあらすじなどを示す文書データ、その映画の主題歌の一部などを示す音声データ、または、その映画の一部を示す動画データを含んでもよい。
【００１５】
クライアント装置３は、上記画像データ化された映画のフィルムの一部を、ネットワーク２を通じてダウンロードして利用することもできるし、また、ＣＤ、ＭＯ等の可搬型記憶媒体を通じて入手することもできる。更に映画のフィルムの一部をカラープリント、モノクロプリント、ポジフィルムで入手することもできる。
【００１６】
図２に、本発明の一実施形態の宣伝素材提供システムの変形例の概略構成図を示す。
図２の宣伝素材提供システムは、図１と比較し、サーバ装置１に対し宣伝素材を提供する第２のクライアント装置４が追加されている。すなわち、この第２のクライアント装置４は、ネットワーク２を介してサーバ装置１に接続されており、クライアント装置３が利用可能な宣伝素材をサーバ装置１に提供する宣伝素材提供装置として機能する。
【００１７】
この第２のクライアント装置４は、映画作品を製作する映画製作会社、映画作品の配給を行う映画配給会社、または映画作品の製作・配給の双方を行う映画製作・配給会社などに設けられており、上記宣伝素材をネットワーク２を介してサーバ装置１に提供している。
【００１８】
第２のクライアント装置４が、サーバ装置１に宣伝素材を提供する手順は概略以下の通りである。
まず、映画のフィルムから宣伝素材用に予め選ばれたフィルムをスキャナーによりスキャン処理して、所定のフォーマット（例えばＣＭＫＹ、ＲＢＧ）の画像データを得、その画像データ（宣伝素材）をネットワーク２を介してサーバ装置１に送信する。サーバ装置１では、その画像データを受信して登録する。尚、第２のクライアント装置４は、上記選ばれたフィルムを送付するだけでもよく、その場合、エンターテイメントコンテンツセンター側で、上記スキャン処理を行う。またスキャン処理に限らず、例えばデジカメを用いて宣伝の対象となる映画作品の記者会見の模様などを撮影し、その中の数カットを宣伝素材として用いることもできる。また上記スキャン処理等により得られる画像データをより高品位なものにするためにレタッチ等を施すようにしてもよい。
【００１９】
図３は、本実施形態の各処理を行う、エンターテイメントコンテンツセンターのサーバ装置を用いるユーザについてのデータのデータ構造を示す図である。
図３において、項目「ユーザＩＤ」、「ログイン名」、「パスワード」は各ユーザのユーザＩＤ、ログイン名、パスワードを、それぞれ示している。項目「ユーザ区分」は、ユーザ区分を示しており、＝０でエンターテイメントコンテンツセンターのユーザであることを、＝１で配給会社のユーザであることを、＝２でメディアのユーザであることを、それぞれ示している。例えば、配給会社側でログインが行われると、上記ユーザ区分を参照して、配給会社用の処理のためのメニュー等が図２の第２のクライアント装置４の画面に表示される。
【００２０】
図４は、配給会社のデータ構造を示す図である。各配給会社には、配給会社ＩＤ、パスワード、コードが割り振られる。尚、ここにいう配給会社とは、映画作品の宣伝素材（コンテンツ）の配給、または製作を行う会社を指しており、項目「製作／配給区分」の値が、＝０で配給のみ、＝１で製作のみ、＝２で配給と製作の双方を行う会社であることを示している。
【００２１】
図５は、映画作品のデータ構造を示す図である。各映画作品には、映画作品ＩＤ、コードが割り振られる、また、項目「登録状態」は、その映画作品の登録状態を示し、＝０で登録されたことを、＝１で公開されたことを、＝２で（公開が）終了したことを示している。また、項目「配給会社ＩＤ」は、その映画の製作・配給会社を示す。
【００２２】
図６は、映画作品の宣伝に使われる宣伝素材（コンテンツ）のデータ構造を示す図である。各宣伝素材には、コンテンツＮｏ、コードが割り当てられる。また、項目「映画作品ＩＤ」には、その宣伝素材が属する映画作品の映画作品ＩＤが設定される。
【００２３】
図７は、図１、または図２のクライアント装置３が、サーバ装置１に登録された宣伝素材を利用するために、会員登録する際の処理を示すフローチャートである。
以下、図１のクライアント装置３の画面に表示される画面例である図８、図９、図１０と共に、図７のフローチャートの動作を説明する。
【００２４】
ユーザが、図８に示すログイン画面より、新規登録ボタンを選択（例えばマウスでクリック等することにより行う。以下同じ）すると（Ｓ１０１）、図９に示す新規登録画面が表示される（Ｓ１０２）。ユーザは、その図９の画面上のログイン名、メールアドレス、会社名、会社のＷｅｂサイト、会社の窓口となる担当者氏名、その氏名に対応するローマ字、会社の電話番号、必要に応じて携帯番号、住所を入力する。また、閲覧を希望する映画製作・配給会社名、閲覧を希望する映画作品名をプルダウンメニューから選択する。尚、上記閲覧を希望する映画作品名のプルダウンメニュー項目において、「すべての映画製作・配給会社」という項目を設けてもよい。
【００２５】
また登録に際し、利用規約を参照したい場合は、下線部の「利用規約はここをクリックしてご覧ください」の部分をクリックすれば、利用規約の画面が表示される。
このようにして、必要事項を記入したならば、Ｓ１０３で、「利用規約に同意して登録する」ボタンを選択してユーザ登録情報をエンタテイメントコンテンツセンターのサーバ装置に送信して登録申し込みを行う。
【００２６】
ユーザ登録情報を受信したエンターテイメントコンテンツセンターのサーバ装置では、Ｓ１０４において、Ｓ１０３で登録申し込みがあったユーザの認証取り付けを映画製作・配給会社に対して行う。映画製作・配給会社では、その申し込みがあったユーザ（会社）について審査を行う。審査に合格したユーザに対しては、Ｓ１０５において、エンターテイメントコンテンツセンターのサーバ装置に対し、そのユーザを認証する旨の情報を送信する。そして、エンターテイメントコンテンツセンターにおいて、Ｓ１０５で映画製作・配給会社から認証されたユーザを、ユーザ管理テーブルへ登録する（Ｓ１０６）。そして、ユーザ管理テーブルへ登録されたユーザに対し、ユーザ登録の通知を行う（Ｓ１０７）。この通知は例えば、図１０に示すように、そのユーザ登録されたユーザ宛てに、そのユーザのログイン名と、パスワードとをメールで返信することにより行われる。
【００２７】
図１１は、ユーザが閲覧を希望する映画製作・配給会社、映画作品に対する承認の可否を示す承認可否データのデータ構造を示す図である。
ここで、ユーザの閲覧の希望とは、図９の閲覧希望の映画製作・配給会社、閲覧希望の映画作品のプルダウンメニューにおいて、ユーザが選択した項目であり、原則として、映画作品ごとに、そのユーザの希望を審査し、承認するか否かを決める。図１１に示すように、そのユーザの閲覧の希望に対して、項目「承認ＩＤ」に示す承認ＩＤが割り振られる。また項目「配給会社ＩＤ」「映画作品ＩＤ」は、上記図９のプルダウンメニューでユーザが選択した項目に対応し、また、項目「承認状態」は、＝０で承認待ち状態を、＝１で承認済みで利用許可となった状態を、＝２で承認拒否となった状態を、それぞれ示している。
【００２８】
図１２は、図１、または図２のクライアント装置３が、サーバ装置１に登録された宣伝素材を利用する際の処理を示すフローチャート（その１）である。
以下、図１のクライアント装置３の画面に表示される画面例である図１３〜図１８と共に、図１２のフローチャートを説明する。
【００２９】
図１２において、ユーザはクライアント装置３を操作して図８に示す画面から図７のＳ１０７で取得したログイン名と、パスワードを入力する（Ｓ２０１）。入力されたログイン名とパスワードは、図３に示すユーザごとに設けられたテーブルの項目「ログイン名」「パスワード」と参照される。そして、このログイン名とパスワードが認証されれば、図１３に示す映画製作・配給会社一覧が画面に表示される（Ｓ２０２）。図１３の一覧は、ユーザ（または、ユーザの属する会社）が閲覧可能な映画製作・配給会社の一覧であり、例えば、図１１の承認可否データの項目「ユーザＩＤ」から現在のユーザＩＤと一致するユーザＩＤを持つ承認可否データを選び出し、それらにつき項目「承認状態」を参照することで得られる。図１３において、ユーザはいずれかの会社のロゴまたは社名を選択すると（Ｓ２０３）、Ｓ２０２と同様の処理により、図１１の承認可否データの参照が行われ、そのユーザにとって閲覧が可能な映画作品（映画タイトル）一覧が画面上に表示される（図１４、Ｓ２０４）。
【００３０】
ユーザはその一覧からいずれかの映画タイトルを選択すると（Ｓ２０５）、その映画において、ユーザが閲覧可能な宣伝素材（コンテンツ）が表示される（図１５、Ｓ２０６）。ユーザが更にその宣伝素材のいずれかを選択すれば（Ｓ２０７）、その選択した宣伝素材を拡大表示した画面が表示される（図１６、Ｓ２０８）。
【００３１】
図１６の画面では、ユーザは宣伝素材を写真注文するか、ダウンロードすることができる。宣伝素材をダウンロードする場合は、ダウンロードする画像データのフォーマットとして、ＲＧＢ、ＣＹＭＫのいずれかを指定し、「ダウンロード」ボタンを選択して、エンターテイメントコンテンツセンターのサーバ装置に対しダウンロード指示を行うと（Ｓ２０９）、その画像データがダウンロードされる（Ｓ２１０）。
【００３２】
尚、Ｓ２１０のダウンロードは、図１５の画面に表示された閲覧用の画像データより高解像度の画像データに基づいて行われてもよい。その場合、各宣伝素材に対し、閲覧時に図１５の画面に表示される低解像度の画像データと、ダウンロード用の高解像度の画像データとが予めデータとして用意される。
【００３３】
また、ダウンロード指示は、図１６の画面より行う他に、図１５の画面から行うこともできる。手順は図１６の画面で行う場合と同様にダウンロードする画像データのフォーマットとしてＲＧＢ、ＣＹＭＫのいずれかを指定し、そのコンテンツの番号のボタンを選択することにより行う。
【００３４】
また、ダウンロードされる宣伝素材（コンテンツ）に、予め電子透かしを入れておくと共に、これに対する解凍ソフトを図１、または図２のクライアント装置３に配布しておき、ダウンロードした宣伝素材を解凍して利用するようにしてもよい。尚、この場合さらに、宣伝素材を解凍後の所定期間（例えば１０日間）だけ利用可能とすることもできる。
【００３５】
図１７に上記したダウンロードや拡大表示を行う回数であるダウンロード回数、拡大表示回数を管理するデータのデータ構造を示す。
図１７において、項目「ユーザＩＤ」はその宣伝素材のダウンロードを行ったユーザのユーザＩＤを示し、項目「コンテンツＮｏ」はダウンロードされた宣伝素材（コンテンツ）のコンテンツＮｏを示す。また項目「ダウンロード回数」は図１５、または図１６の画面からダウンロードを行った回数を、項目「拡大表示回数」は、図１６の宣伝素材が拡大表示されている画面を表示した回数を示す。尚、項目「閲覧日付」は、上記ダウンロードや拡大表示が行われた日付を示している。すなわち、「ダウンロード回数」、「拡大表示回数」は日次でカウントされる。
【００３６】
また、図１６の画面から宣伝素材を写真注文することも可能であり、その場合、注文する写真の情報を「簡易」または「詳細」のいずれかの項目により指定すると共に「納品希望日時」欄に納品を希望する日時を指定する。尚図１６の「簡易」の項目においては、３５ｍｍカラーポジフィルムを１枚注文する場合、モノクロキャビネを１枚注文する場合に用いると便利である。「詳細」の項目においては、「媒体」のプルダウンメニューからは、カラープリントの他に、モノクロプリント、ポジフィルム、ＭＯ、ＣＤを選択することができる。尚ＭＯや、ＣＤにはその注文した写真の画像データが格納されている。また「サイズ」の項目においては、キャビネの他に、六ツ切（８×１０）、四ツ切（１０×１２）を指定することができる。「枚数」の項目には、その写真を注文する枚数を指定する。
【００３７】
以上の操作を行った後に、「注文カートに入れる」ボタンを選択すれば、図１８のような画面が表示される。尚、図１８の画面で「写真の注文を続ける」ボタンを選択すれば、再度図１５の画面に戻って写真の注文を続けることができるので、図１８の画面は正確には、４回の写真注文処理を上記図１５→図１６→図１８の画面を通して行った後に得られるものである。
【００３８】
図１８において、「注文カートのコンテンツを発注する」ボタンをクリックすると、図１８の画面に表示された内容の宣伝素材が発注される。
尚このようにして、写真注文を行った場合、その写真注文の情報はエンターテイメントコンテンツセンターのサーバ装置１にネットワーク２を介して送信される。この写真注文情報を受信したエンターテイメントコンテンツセンターでは、映画製作・配給会社にその写真注文の承認取り付けを行う。そして、映画製作・配給会社が、承認取り付けした写真を承認する旨の通知をエンターテイメントコンテンツセンターに行えば、エンターテイメントコンテンツセンターからクライアント装置３のユーザに対し、写真注文受注の通知を行う（注文した写真はその後、ユーザに送付される）。
【００３９】
図１９に、ユーザの写真注文を管理するカートのデータ構造を示す。
図１９において、項目「カートＩＤ」は、写真注文の際のカートＩＤを、「ユーザＩＤ」は、写真注文したユーザのＩＤを、「コンテンツＮｏ」は、注文された写真に対応するコンテンツＮｏを、「納品日付」は注文した写真を納品した日付を、それぞれ示している。尚、項目「媒体」、「サイズ」、及び「枚数」は上記図１６の各項目に対応している。
【００４０】
また、項目「オーダーステータス」は、その注文が、発注から納品までのどの段階に達しているかを示し、＝０でカートが登録されたことを、＝１でその写真の注文情報をエンターテイメントコンテンツセンターのサーバ装置が受注したことを、＝２でエンターテイメントコンテンツセンターから映画製作・配給会社に承認取り付けを行っていて回答待ちであることを、＝３で映画製作・配給会社の承認が得られてエンターテイメントコンテンツセンターにおいてその写真を注文情報に従い製作中であることを、＝９で注文した写真が納品済みであることを、それぞれ示している。
【００４１】
本発明の宣伝素材提供システムのサーバ装置は、クライアント装置から映画作品に対する宣伝素材が利用できるか否かを決める構成であるが、その際に行われる図１、または図２のクライアント装置３の画面に利用可能な宣伝素材（コンテンツ）を表示させる処理は、「利用可能情報」に基づいて行われる。
【００４２】
上記「利用可能情報」としては、図２０に示すように、映画作品の公開／非公開を定めるものと、映画作品に属する宣伝素材における利用可能範囲を定めるものとに大別することができる。ここで、「映画作品の公開／非公開」とは、メディア側に宣伝素材を提供するか否かを示す情報であり、提供する場合は「公開」、提供しない場合は「非公開」となる。以下図２１、及び図２２のフローチャートを用いて、これら「利用可能情報」に基づいて宣伝素材を画面に表示させる処理について説明する。
【００４３】
図１２において説明したように、メディア等のクライアント装置３のユーザに利用可能な映画作品の一覧は、図１１に示すそのユーザに対する承認可否データを参照して求められるが、その際の処理、すなわち、サーバ装置１がクライアント装置３からの宣伝素材の利用可否を決める処理（その１）を図２１のフローチャートを用いてより詳細に説明する。
【００４４】
図２１において、Ｓ２０４０１で、承認可否データのリストにおける先頭の承認可否データを処理対象のデータとして取得する。そして、Ｓ２０４０２において、その処理対象のデータのユーザＩＤと、現在ログインしているユーザのユーザＩＤとが一致するか判定する。一致していれば（Ｓ２０４０２でＹｅｓ）、その承認可否データの項目「映画作品ＩＤ」に示される映画作品ＩＤを持つ映画作品データの項目「登録状態」を参照し、その登録状態が「公開」であると共に、その承認可否データの項目「承認状態」が「承認済み」であれば（Ｓ２０４０３でＹｅｓ）、その映画タイトルを画面に表示する（Ｓ２０４０４）。Ｓ２０４０２で一致しない（Ｓ２０４０２でＮｏ）場合や、Ｓ２０４０３で登録状態が「公開」でないか、または「承認状態」が「承認済み」でない（Ｓ２０４０３でＮｏ）場合は、承認可否データのリストの次の承認可否データを処理対象とし（Ｓ２０４０５）、制御をＳ２０４０２に戻す。以降Ｓ２０４０２〜Ｓ２０４０５の処理をリストの終わりまで繰り返す。
【００４５】
例えば、図２の第２のクライアント装置（映画製作・配給会社）から、ある映画作品の登録状態を「公開」から「（公開）終了」に更新すれば、その登録状態が「終了」である映画作品と、その宣伝素材（コンテンツ）は、どのユーザからも利用することができなくなる。
【００４６】
このように、映画作品の公開前後（非公開）と公開中とによってその映画作品に属する宣伝素材の利用可否を変更することで、映画作品という商品の特殊性に起因する、きめ細かい処理を反映させることが可能となる。
尚、上記した宣伝素材の利用可否を決める処理は、ある映画作品が利用可能な全てのユーザに対しその映画作品の登録状態に応じてその映画作品に属する宣伝素材を一様に利用可能か利用不可とする構成であった。例えば、その映画作品に属する宣伝素材のグループはその映画作品の登録状態が「公開」である限りはその映画作品が利用可能な全てのユーザにつき同一なものであった。しかし、映画作品に属する宣伝素材の利用可能範囲をユーザ毎に変更することも可能であり、以下にそのような場合につき説明する。
【００４７】
すなわち、図３に示すように、ユーザ毎に、映画の製作・配給会社がそのユーザをどの程度重要視しているかを定める項目である項目「ユーザランク」を設ける。このユーザランクは、例えば「０」〜「９」までの値とし、値が小さくなるほど映画製作・配給会社にとってそのユーザは重要な存在であるものとする。
【００４８】
上記「ユーザランク」は原則としては、そのユーザが属するメディアを基準に設定する。この場合例えば、宣伝効果が大きいメディアなどが重要なユーザとなる。しかし、この他にユーザを基準に設定する場合もある。例えば、ユーザが著名なフリーの映画ライターや映画評論家であって、映画の宣伝を手がける場合は、宣伝効果も大きいものとなるが、その映画ライターや、映画評論家がどのメディアに属するかはその都度異なる。
【００４９】
そしてこの「ユーザランク」に対応するものとして、図６に示す宣伝素材データに、その宣伝素材が属する映画作品の登録状態が「公開」である場合に、どのユーザランクのユーザについてまで、その宣伝素材に対する利用を許容するかを示す項目「公開ランク」を設ける。例えば、公開ランクが「６」である宣伝素材は、その宣伝素材が属する映画作品の登録状態が「公開」であれば、ユーザランク「０」〜「６」のユーザには利用可能で、ユーザランク「７」〜「９」のユーザには利用不可となるようにする。そして、上記図２の第２のクライアント装置から、宣伝素材のそれぞれに対し、上記項目「公開ランク」を更新すれば、その更新後の現在の公開ランクに基づいて、図１、または図２のサーバ装置はその宣伝素材の利用可能範囲をユーザごとに決める。
【００５０】
図２２は、このような項目「ユーザランク」「公開ランク」を加味した上でのユーザに利用可能な宣伝素材（コンテンツ）一覧を表示させる処理であり、サーバ装置１がクライアント装置３からの宣伝素材の利用可否を決める処理（その２）のフローチャートである。尚、図２２において図２１のフロー処理により予め利用可能な映画作品一覧は求められているものとする。
【００５１】
図２２において、Ｓ２０６０１で、登録状態が「公開」であり、ユーザＩＤがそのユーザのユーザＩＤを示す承認可否データの承認状態が「承認済み」である、映画作品に属する宣伝素材のリストの先頭の宣伝素材が処理対象として選択され、Ｓ２０６０２で図３のユーザデータにおけるそのユーザのユーザランクが、処理対象の宣伝素材の項目「公開ランク」以下であるかが判定される。「ユーザランク」が「公開ランク」以下であれば（Ｓ２０６０２でＹｅｓ）、ユーザはその宣伝素材が利用可能となるので、Ｓ２０６０３で、図１５に示すようにその宣伝素材を画面に表示する。一方、「ユーザランク」が「公開ランク」より大きければ（Ｓ２０６０２でＮｏ）、ユーザはその宣伝素材を利用できなくなり（利用不可となり）、Ｓ２０６０４でその映画作品に属する宣伝素材リストの次の宣伝素材を処理対象として設定し、制御をＳ２０６０２に戻す。以降Ｓ２０６０２〜Ｓ２０６０４の処理をリストの終わりまで繰り返す。尚、上記「ユーザランク」「公開ランク」を設けない場合は、利用可能な宣伝素材をすべてのユーザにつき一律に設定する。その場合、Ｓ２０６０２の判定ステップが省略されることはいうまでもない。
【００５２】
このように、宣伝素材の利用者のランクを示す「ユーザランク」と、宣伝素材をどのランクのユーザまで公開するかを示す「公開ランク」とを設け、各ユーザについてそのユーザの「ユーザランク」と、宣伝素材の「公開ランク」を比較する構成とすることで、上記「公開ランク」は、前記映画作品の提供側から見た前記映画作品の利用側（ユーザ）の重要度の範囲における利用可能範囲を示すこととなるので、映画作品の宣伝素材の提供側から見た該宣伝素材の利用側の重要度を反映させることが可能となる。
【００５３】
図２３は、映画製作・配給会社の第２のクライアント装置からエンターテイメントコンテンツセンターのサーバ装置を介して行う上記「利用可能情報」を更新する処理を示すフローチャートである。
図２３において、Ｓ３０１で、映画製作・配給会社のユーザは、そのユーザＩＤ等を入力してログインする。エンターテイメントコンテンツセンターのサーバ装置はその際、図３のユーザ区分を参照して、映画製作・管理会社用のメイン画面（不図示）を表示する（Ｓ３０２）。ユーザはそのメイン画面のコンテンツ登録状況一覧を選択すると（Ｓ３０３）、公開状況一覧画面（図２４）が表示される（Ｓ３０４）。
【００５４】
図１、または図２のサーバ装置１には、サーバ装置１自身から宣伝素材がエンターテイメントコンテンツセンターにおいてフィルム等からスキャン処理されて画像データとして取り込まれたり、また、図２の第２のクライアント装置４からネットワーク２を介してサーバ装置１が宣伝素材を受信したりされており、それらの宣伝素材の項目「登録状態」には、所定値が設定されている。例えば、その宣伝素材が属する映画作品の宣伝期間が始まる前であれば、項目「登録状態」には「登録」が設定される。
【００５５】
尚、サーバ装置１が宣伝素材を示す画像データを図２の第２のクライアント装置４から受信した場合や、エンターテイメントコンテンツセンターにおいてフィルム等からスキャン処理により画像データを取り込んだ際には、すなわち、上記図５の映画作品データの中の最新コンテンツにその宣伝素材の画像データが追加され、その宣伝素材に対し作成される図６の宣伝素材データの項目「コンテンツＮｏ」にはその最新コンテンツＮｏが割り振られ、項目「映画作品ＩＤ」に、その宣伝素材の属する映画作品の映画作品ＩＤが割り振られることにより、エンターテイメントコンテンツセンターのデータベース（不図示）にその宣伝素材が登録される。
【００５６】
映画作品が宣伝期間に入り、各メディアによる宣伝活動が可能な状況となれば、第２のクライアント装置のユーザは、その映画作品の項目「登録状態」を「登録」から「公開」に更新する（Ｓ３０５）。例えば図２４の公開状況一覧画面の下線部の「編集」を選択して図２５の公開状況の変更の画面を表示させ、その画面上のプルダウンメニューから「公開」を選択することにより更新処理を行う。サーバ装置側では、更新された「登録状態」に基づいて図１、または図２のサーバ装置１はクライアント装置３からの宣伝素材の利用可否を決める（Ｓ３０６）。
【００５７】
また翌日から一般公開される等の理由により、映画作品の宣伝期間が終了する場合、第２のクライアント装置のユーザは、その映画作品の項目「登録状態」を「公開」から「終了」に更新することにより更新処理を行う（Ｓ３０５）。サーバ装置側では同様にして、更新された「登録状態」に基づいて図１、または図２のサーバ装置１はクライアント装置３からの宣伝素材の利用可否を決める（Ｓ３０６）。
【００５８】
尚、以上の説明では、Ｓ３０５で映画作品データの項目「登録状態」を更新することにより映画作品単位の表示／非表示を定める構成としたが、宣伝素材データの項目「公開ランク」を更新することにより映画作品に属する宣伝素材の利用可能範囲を更新する構成としてもよい。
【００５９】
この場合、図２５の映画作品名を示す、下線の「ショッピングニュース」部分を選択してその映画作品「ショッピングニュース」に属する宣伝素材の一覧画面（図２６）を表示させる。図２６で「公開ランク」ボタンを選択すれば、例えば図２５に示すようなプルダウンメニューが表示されるので、そのプルダウンメニューにより各宣伝素材の「公開ランク」を「０」〜「９」の範囲で選択することにより更新処理を行う。
【００６０】
尚、上記Ｓ３０６のサーバ装置１が行う、クライアント装置３からの利用可否を決める処理については、図２１、または図２２のフローチャートで説明した通りである。
尚、映画製作・配給会社の第２のクライアント装置は、この他にエンターテイメントコンテンツセンターのサーバ装置を介して、自社の宣伝素材がメディアにどのように利用されているかを示す統計情報を閲覧することができる。
【００６１】
図２７、及び図２８はその際に図２の第２のクライアント装置４に表示される画面例を示す図である。
図２７において、映画製作・配給会社のユーザは、自社が配給する各映画作品のメディアごとの利用実績を把握する際に、「マスコミ別利用実績」の項目を選択すると共に、利用実績を表示する期間を指定して「検索」ボタンを選択することで、その指定した期間内のメディアごとの利用実績一覧が図２８に示すように表示される。
【００６２】
図２８において、「ＤＬ」「拡大」「発注」は、それぞれ宣伝素材をダウンロードした回数、拡大表示した回数、写真注文した回数を示している。例えば、「Ａｒｓｅｎａｌ社」のユーザ「神谷」は、映画作品「ショッピングニュース」の宣伝素材について、宣伝素材をダウンロードした回数が２回であり、その宣伝素材を図１５の宣伝素材一覧画面から選択して拡大表示した回数が１回であり、その宣伝素材を写真注文した回数が１回であることを示している。尚、ダウンロード回数、拡大表示回数については図１７の対応する各項目を参照して求められ、写真注文した回数は図１９の項目「コンテンツＮｏ」「納品日付」を参照して求められる。
【００６３】
尚、図２７の画面において、「週別利用実績」が選択された場合は、表示期間の欄の上の欄に入力された日付を基準にしてその日付から１週間前までの期間についての利用実績が検索される。また「日別利用実績」が選択された場合は、表示期間の欄の上の欄に入力された日付について利用実績が検索される。尚、表示期間を指定しない場合、「現在の日付から１週間前」、「現在の日付」をそれぞれ表示期間として利用実績の検索を行ってもよい。
【００６４】
上記宣伝素材の利用実績を示すデータは、エンターテイメントコンテンツセンターのサーバ装置に経時的に蓄積されるものであり、上記した映画製作・配給会社の第２のクライアント装置の他に、エンターテイメントコンテンツセンターのサーバ装置からも閲覧することができる。この場合、上記した映画製作・配給会社などに設けられた第２のクライアント装置から閲覧する場合と異なり、すべての映画製作・配給会社の利用実績を閲覧することができる。
【００６５】
尚、以上の説明においては、映画作品の項目「登録状態」の値としては「登録」「公開」「終了」を設ける構成であったが、公開前の状態を示す「登録」と、公開後の状態を示す「終了」とを１つの状態（例えば「非公開」）として兼用させ、項目「登録状態」の値として「公開」「非公開」を設ける構成としてもよい。
【００６６】
また、以上の説明においては、図２の第２のクライアント装置４から図２のクライアント装置３の宣伝素材への利用可否状況を変更する構成としたが、この利用可否状況の変更は、図１、または図２のサーバ装置１自体から行ってもよい。また、以上の説明においては、利用可能情報を図２の第２のクライアント装置４、または図１、または図２のサーバ装置１から直接更新して利用可否を決める構成であったが、予め基準となる日時を設けておき、その日時に基づいて利用可否を決める構成としてもよい。例えば「宣伝開始日」を設け、その前後で上記映画作品の「登録状態」を「登録」から「公開」へ更新したり、「宣伝終了日」を設け、その前後で映画作品の「登録状態」を「公開」から「終了」に更新したりする。また、映画作品ごとに別途、宣伝開始日のデータを新たに設け、そのデータ構造中にユーザランクごとの宣伝開始日の項目を設定すれば、その項目を参照することでユーザランクに応じてその映画作品の宣伝開始日を変更することができる。
【００６７】
また、以上の説明において、宣伝素材として、ポジフィルムや、フィルムを画像データ化したものを扱った。画像データ化したものの例としては、その画像データをダウンロードして利用する場合や、その画像データを格納したＣＤやＭＯを注文して受け取る場合があった。しかし宣伝素材としてはこの他に、映画作品に関する記事やあらすじなどの文章データ、映画作品の予告編などの映像（動画）データ、映画作品のサウンド（音楽）データ等も用いることができる。
【００６８】
また更に、宣伝素材を作成する元となる試写会の情報を予めメディア側に通知して、その試写会の情報に基づいて宣伝素材を作成するようにしてもよい。すなわち、試写会の日程を図１、または図２のクライアント装置３の画面に表示させ、各ユーザからその試写会に対する出席の可否をネットワーク２を介して集計する。そして、出席した各メディアのユーザは、その試写会の途中、または終了後に宣伝素材として利用したいその上映された映画作品の場面を指定したり、または、その上映された映画作品に対するあらすじなどの文章データを書く上でその試写会での試写を参考にしたりする。そして、このようにして指定された場面や、このような経緯で書かれた文章データを本発明の宣伝素材提供システムにおいて宣伝素材として利用することができる。
【００６９】
以上において、本発明の宣伝素材提供システムについてその詳細を説明したが、このシステムを構成するサーバ装置などは当然一般的なコンピュータシステムとして構成することが可能である。図２９はそのようなコンピュータシステム、すなわち例としてのハードウエア環境の構成ブロック図である。
【００７０】
図２９においてコンピュータシステムは中央処理装置（ＣＰＵ）３０、リードオンリメモリ（ＲＯＭ）３１、ランダムアクセスメモリ（ＲＡＭ）３２、通信インタフェース３３、記憶装置３４、入出力装置３５、可搬型記憶媒体の読み取り装置３６、およびこれらの全てが接続されたバス３７によって構成されている。
【００７１】
記憶装置３４としてはハードディスク、磁気ディスクなど様々な形式の記憶装置を使用することができ、このような記憶装置３４、またはＲＯＭ３１に図１２、図２１、図２２および図２３などのフローチャートに示されたプログラムや、本実施形態の宣伝素材を利用するためのプログラムなどが格納され、そのようなプログラムがＣＰＵ３０によって実行されることにより、本実施形態における宣伝素材提供システムの実現が可能となる。
【００７２】
このようなプログラムは、プログラム提供者３８側からネットワーク３９、および通信インタフェース３３を介して、例えば記憶装置３４に格納されることも、また市販され、流通している可搬型記憶媒体４０に格納され、読み取り装置３６にセットされて、ＣＰＵ３０によって実行されることも可能である。可搬型記憶媒体４０としてはＣＤ−ＲＯＭ、フレキシブルディスク、光ディスク、光磁気ディスクなど様々な形式の記憶媒体を使用することができ、このような記憶媒体に格納されたプログラムが読み取り装置３６によって読み取られることにより、本実施形態におけるクライアント装置、第２のクライアント装置、サーバ装置における各種の処理が可能となる。
【００７３】
【発明の効果】
以上説明してきたように、本発明の宣伝素材提供システムによれば、映画作品の公開前後（非公開）と公開中とによってその映画作品に属する宣伝素材の利用可否を決めることで、映画作品という商品の特殊性に起因する、きめ細かい処理を反映させることが可能となる。
【００７４】
また、本発明によれば、宣伝素材の利用者のランクを示す「ユーザランク」と、宣伝素材をどのランクのユーザまで公開するかを示す「公開ランク」とを設け、各ユーザについてそのユーザの「ユーザランク」と、宣伝素材の「公開ランク」を比較する構成とすることで、上記「公開ランク」は、前記映画作品の提供側から見た前記映画作品の利用側（ユーザ）の重要度の範囲における利用可能範囲を示すこととなるので、映画作品の宣伝素材の提供側から見た該宣伝素材の利用側の重要度を反映させることが可能となる。
【図面の簡単な説明】
【図１】本発明の一実施形態の宣伝素材提供システムの概略図である。
【図２】本発明の一実施形態の宣伝素材提供システムの変形例の概略図である。
【図３】ユーザのデータ構造を示す図である。
【図４】配給会社のデータ構造を示す図である。
【図５】映画作品のデータ構造を示す図である。
【図６】宣伝素材（コンテンツ）のデータ構造を示す図である。
【図７】会員登録する際の処理を示すフローチャートである。
【図８】ログイン画面である。
【図９】新規登録画面である。
【図１０】ユーザ登録の通知の一例である。
【図１１】ユーザが閲覧を希望する映画製作・配給会社、映画作品に対する承認可否データのデータ構造を示す図である。
【図１２】クライアント装置が、サーバ装置に登録された宣伝素材を利用する際の処理を示すフローチャートである。
【図１３】映画製作・配給会社一覧画面である。
【図１４】映画タイトル一覧画面である。
【図１５】ある映画作品に対する閲覧可能コンテンツの一覧画面である。
【図１６】宣伝素材の拡大表示画面である。
【図１７】ダウンロード回数、拡大表示回数を管理するデータのデータ構造を示す図である。
【図１８】注文カート一覧の画面である。
【図１９】ユーザの写真注文を管理するカートのデータ構造を示す図である。
【図２０】利用可能情報を説明する図である。
【図２１】サーバ装置がクライアント装置からの宣伝素材の利用可否を決める処理のフローチャート（その１）である。
【図２２】サーバ装置がクライアント装置からの宣伝素材の利用可否を決める処理のフローチャート（その２）である。
【図２３】映画製作・配給会社の第２のクライアント装置が行う「利用可能情報」を更新する処理を示すフローチャートである。
【図２４】映画作品の登録状態一覧を示す画面である。
【図２５】映画作品の「登録状態」の更新を行う画面である。
【図２６】ある映画作品に属する宣伝素材の「公開ランク」の更新を行う画面である。
【図２７】映画製作・配給会社が自社宣伝素材がメディアにどのように利用されているかを示す統計情報を閲覧する画面（その１）である。
【図２８】映画製作・配給会社が自社宣伝素材がメディアにどのように利用されているかを示す統計情報を閲覧する画面（その２）である。
【図２９】本発明を実現するプログラムの情報処理装置へのローディングを説明する図である。
【符号の説明】
１　サーバ装置
２　ネットワーク
３　クライアント装置
４　第２のクライアント装置
３０　ＣＰＵ
３１　ＲＯＭ
３２　ＲＡＭ
３３　通信インターフェイス
３４　記憶装置
３５　入出力装置
３６　読み取り装置
３７　バス
３８　プログラム提供者
３９　ネットワーク
４０　可搬型記憶媒体
【図１】
2004078534.tif 000003
【図２】
2004078534.tif 000004
【図３】
2004078534.tif 000005
【図４】
2004078534.tif 000006
【図５】
2004078534.tif 000007
【図６】
2004078534.tif 000008
【図７】
2004078534.tif 000009
【図８】
2004078534.tif 000010
【図９】
2004078534.tif 000011
【図１０】
2004078534.tif 000012
【図１１】
2004078534.tif 000013
【図１２】
2004078534.tif 000014
【図１３】
2004078534.tif 000015
【図１４】
2004078534.tif 000016
【図１５】
2004078534.tif 000017
【図１６】
2004078534.tif 000018
【図１７】
2004078534.tif 000019
【図１８】
2004078534.tif 000020
【図１９】
2004078534.tif 000021
【図２０】
2004078534.tif 000022
【図２１】
2004078534.tif 000023
【図２２】
2004078534.tif 000024
【図２３】
2004078534.tif 000025
【図２４】
2004078534.tif 000026
【図２５】
2004078534.tif 000027
【図２６】
2004078534.tif 000028
【図２７】
2004078534.tif 000029
【図２８】
2004078534.tif 000030
【図２９】
2004078534.tif 000031